(57)【要約】【課題】端末装置が周波数バンド間で頻繁にバンド間遷移をすることを抑制することができる設定装置などを提供する。【解決手段】設定装置（一例として、基地局装置１−１〜１−２と一体）は、端末装置（移動端末装置２１−１）について、第１の周波数バンド（周波数バンドＢ）から第２の周波数バンド（周波数バンドＡ）へのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する設定部、を備えることを特徴とする。【選択図】図１
2014165826.tif 000002
【特許請求の範囲】
【請求項１】
端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する設定部、
を備えることを特徴とする設定装置。
【請求項２】
前記第１の周波数バンドから前記第２の周波数バンドへのバンド間遷移として、インターバンドセルリセレクションを用い、
前記第２の周波数バンドから前記第１の周波数バンドへのバンド間遷移又はその前処理として、前記バンド間遷移であるインターバンドハンドオーバ或いはインターバンドセルリセレクション、又は、前記インターバンドハンドオーバ或いはインターバンドセルリセレクションの前記前処理である異バンドサーチを用いる、
ことを特徴とする請求項１に記載の設定装置。
【請求項３】
端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する設定部と、
バンド間遷移の処理を実行するバンド間遷移処理実行部と、
を備えることを特徴とする基地局装置。
【請求項４】
端末装置と、基地局装置と、前記基地局装置と一体又は別体の設定装置を有し、
前記設定装置は、前記端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する、
ことを特徴とする通信システム。
【請求項５】
設定装置が、端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する、
ことを特徴とする設定方法。
【請求項６】
第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を記憶する記憶部と、
前記記憶部に記憶される値に基づいて、バンド間遷移の処理又はその前処理を実行する処理実行部と、
を備えることを特徴とする端末装置。
【発明の詳細な説明】
【技術分野】
【０００１】
本発明は、設定装置、基地局装置、通信システム、設定方法及び端末装置に関する。
【背景技術】
【０００２】
同一の無線通信システムにおいて、複数の周波数バンド（周波数帯域）を使用してサービスエリアを展開し、電力品質に応じて適切にバンド間遷移（接続切り替え）をさせることで、カバレッジエリアとトラヒック収容量の拡大を実現することができる。
３ＧＰＰで検討されているＬＴＥ（Ｌｏｎｇ  Ｔｅｒｍ  Ｅｖｏｌｕｔｉｏｎ）のシステムでは、移動端末装置が通信中（ＲＲＣ（Ｒａｄｉｏ  Ｒｅｓｏｕｒｃｅ  Ｃｏｎｔｒｏｌ）  ｃｏｎｎｅｃｔｅｄ）であるときにバンド間遷移を実行するインターバンドハンドオーバ（Ｉｎｔｅｒ−Ｂａｎｄ  ＨＯ（Ｈａｎｄｏｖｅｒ））、及び、移動端末装置が待機中（ＲＲＣ  ｉｄｌｅ）であるときにバンド間遷移を実行するインターバンドセルリセレクション（Ｉｎｔｅｒ−Ｂａｎｄ  Ｃｅｌｌ  Ｒｅｓｅｌｅｃｔｉｏｎ）について、移動端末装置の動作が規定されている。
【０００３】
図４は、インターバンドハンドオーバの処理の手続きの一例を示すタイミングチャート図である。
図４には、移動端末装置（ＵＥ）１０２１と、移動端末装置１０２１のハンドオーバ元の基地局装置（Ｓｏｕｒｃｅ  ｅＮＢ）１００１−１と、移動端末装置１０２１のハンドオーバ先の基地局装置（Ｔａｒｇｅｔ  ｅＮＢ）１００１−２について、処理の手続きの一例を示してある。ハンドオーバ元の基地局装置１００１−１は、移動端末装置１０２１と接続している基地局装置（接続基地局装置）である。
ハンドオーバ元の基地局装置１００１−１は周波数バンドＡを使用して無線通信し、ハンドオーバ先の基地局装置１００１−２は周波数バンドＢ（周波数バンドＡとは異なるもの）を使用して無線通信する。
ハンドオーバ元の基地局装置１００１−１とハンドオーバ先の基地局装置１００１−２とは、例えば、バックボーン回線であるＸ２回線やＳ１回線などを介して通信する。
なお、図４の例とは異なる例として、ハンドオーバ元の基地局装置１００１−１（周波数バンドＡ）とハンドオーバ先の基地局装置１００１−２（周波数バンドＢ）とが逆である場合についても同様である。
【０００４】
ハンドオーバ元の基地局装置１００１−１は、セルスペシフィックリファレンスシグナル（Ｃｅｌｌ−Ｓｐｅｃｉｆｉｃ  ＲＳ（Ｒｅｆｅｒｅｎｃｅ  Ｓｉｇｎａｌ））を無線により送信する（処理Ｔ１０１）。
移動端末装置１０２１は、ハンドオーバ元の基地局装置１００１−１から受信するセルスペシフィックリファレンスシグナルに基づいて、異なる周波数バンド（ここの例では、周波数バンドＡ以外の周波数バンド）の電力の測定（異バンドサーチ）を開始する条件（異バンド電力測定開始条件）が満たされたか否かを判定する（処理Ｔ１０２）。この条件が満たされたことを判定すると、移動端末装置１０２１は、ハンドオーバ元の基地局装置１００１−１へ所定のメジャメントリポート（ＭＲ：Ｍｅａｓｕｒｅｍｅｎｔ  Ｒｅｐｏｒｔ）を無線により送信する（処理Ｔ１０３）。このＭＲとしては、一般的なものとして、Ａ２  ＭＲを用いている。
【０００５】
ハンドオーバ元の基地局装置１００１−１は、移動端末装置１０２１から前記のＭＲを受信すると、異バンドサーチの処理を指示する信号を移動端末装置１０２１へ無線により送信する（処理Ｔ１０４）。
移動端末装置１０２１は、異バンドサーチを開始して、周波数バンドＡを使用してハンドオーバ元の基地局装置１００１−１から無線送信されるセルスペシフィックリファレンスシグナルを受信してその電力を測定することや、周波数バンドＢを使用してハンドオーバ先の基地局装置１００１−２から無線送信されるセルスペシフィックリファレンスシグナルを受信してその電力を測定することを行う（処理Ｔ１０５、処理Ｔ１０６）。
【０００６】
そして、移動端末装置１０２１は、インターバンドハンドオーバを実施する条件（ＨＯ実施条件）を満たすか否かを判定する（処理Ｔ１０７）。
この条件が満たされたことを判定すると、移動端末装置１０２１は、所定のＭＲをハンドオーバ元の基地局装置１００１−１へ無線により送信して、インターバンドハンドオーバの処理を開始する（処理Ｔ１０８）。このＭＲとしては、一般的なものとして、Ａ３  ＭＲ若しくはＡ５  ＭＲを用いている。
【０００７】
ハンドオーバ元の基地局装置１００１−１は、移動端末装置１０２１から前記のＭＲを受信すると、インターバンドハンドオーバの実施の有無の決定（ＨＯ  ｄｅｃｉｓｉｏｎ）を行い（処理Ｔ１０９）、インターバンドハンドオーバの実施をすることを決定した場合には、インターバンドハンドオーバの実施を要求するハンドオーバリクエスト（ＨＯ  ｒｅｑｕｅｓｔ）の信号をハンドオーバ先の基地局装置１００１−２へ送信する（処理Ｔ１１０）。
ハンドオーバ先の基地局装置１００１−２は、インターバンドハンドオーバの実施の可否の判断（Ａｄｍｉｓｓｉｏｎ  Ｃｏｎｔｒｏｌ）を行い（処理Ｔ１１１）、インターバンドハンドオーバの実施を許可する場合には、インターバンドハンドオーバの実施の許可を通知するハンドオーバリクエストアック（ＨＯ  ｒｅｑｕｅｓｔ  Ａｃｋ）の信号をハンドオーバ元の基地局装置１００１−１へ送信する（処理Ｔ１１２）。
ハンドオーバ元の基地局装置１００１−１は、ハンドオーバ先の基地局装置１００１−２からハンドオーバリクエストアックの信号を受信すると、インターバンドハンドオーバの実施を指示する信号を移動端末装置１０２１へ無線により送信する（処理Ｔ１１３）。
【０００８】
ここで、非特許文献１を採用する場合、Ａ２  ＭＲ、Ａ３  ＭＲ、Ａ５  ＭＲのそれぞれの判定条件は、次のようになる（非特許文献１の５．５．４  Ｍｅａｓｕｒｅｍｅｎｔ  ｒｅｐｏｒｔ  ｔｒｉｇｇｅｒｉｎｇを参照。）。
Ａ２  ＭＲの判定条件は、移動端末装置１０２１と接続している基地局装置１００１−１（接続基地局装置ｓ）の評価指標が閾値を下回るという条件である。この条件が満たされると、移動端末装置１０２１がＡ２  ＭＲを送信する。
Ａ３  ＭＲの判定条件は、移動端末装置１０２１と接続している基地局装置１００１−１（接続基地局装置ｓ）に対する隣接の基地局装置１００１−２（隣接基地局装置ｓ）の評価指標が接続基地局装置ｓの評価指標に比べて閾値以上上回るという条件である。この条件が満たされると、移動端末装置１０２１がＡ３  ＭＲを送信する。
Ａ５  ＭＲの判定条件は、移動端末装置１０２１と接続している基地局装置１００１−１（接続基地局装置ｓ）の評価指標が閾値（第１の閾値）を下回り、接続基地局装置ｓに対する隣接の基地局装置１００１−２（隣接基地局装置ｓ）の評価指標が閾値（第２の閾値）を上回るという条件である。この条件が満たされると、移動端末装置１０２１がＡ５  ＭＲを送信する。
【０００９】
これらの判定条件で用いる評価指標は、移動端末装置１０２１が受信する基地局装置からの信号の電力や通信品質を表す指標であり、例えば、電力の高さを表すＲＳＲＰ（Ｒｅｆｅｒｅｎｃｅ  Ｓｉｇｎａｌ  Ｒｅｃｅｉｖｅｄ  Ｐｏｗｅｒ）［ｄＢｍ］や、通信品質の良さを表すＲＳＲＱ（Ｒｅｆｅｒｅｎｃｅ  Ｓｉｇｎａｌ  Ｒｅｃｅｉｖｅｄ  Ｑｕａｌｉｔｙ）［ｄＢ］を用いる。
また、各ＭＲの判定条件（各ＭＲを送信することを判定する条件）に用いる閾値は、例えば、それぞれ個別に設定される。これらの閾値は、各ＭＲを送信するタイミング、すなわち、異なる周波数バンドの電力測定を開始するタイミングや、インターバンドハンドオーバの処理を開始するタイミングに直結して関連する。
【００１０】
図５は、インターバンドセルリセレクションの処理の手続きの一例を示すタイミングチャート図である。
図５には、移動端末装置（ＵＥ）１０２１と、移動端末装置１０２１のセルリセレクション元の基地局装置（Ｓｏｕｒｃｅ  ｅＮＢ）１００１−１と、移動端末装置１０２１のセルリセレクション先の基地局装置（Ｔａｒｇｅｔ  ｅＮＢ）１００１−２について、処理の手続きの一例を示してある。セルリセレクション元の基地局装置１００１−１は、移動端末装置１０２１が待ち受け局としている基地局装置である。
セルリセレクション元の基地局装置１００１−１は周波数バンドＡを使用して無線通信し、セルリセレクション先の基地局装置１００１−２は周波数バンドＢ（周波数バンドＡとは異なるもの）を使用して無線通信する。
セルリセレクション元の基地局装置１００１−１とセルリセレクション先の基地局装置１００１−２とは、例えば、バックボーン回線であるＸ２回線やＳ１回線などを介して通信する。
なお、図５の例とは異なる例として、セルリセレクション元の基地局装置１００１−１（周波数バンドＡ）とセルリセレクション先の基地局装置１００１−２（周波数バンドＢ）とが逆である場合についても同様である。
【００１１】
セルリセレクション元の基地局装置１００１−１は、セルスペシフィックリファレンスシグナル（Ｃｅｌｌ−Ｓｐｅｃｉｆｉｃ  ＲＳ）を無線により送信する（処理Ｔ２０１）。
移動端末装置１０２１は、セルリセレクション元の基地局装置１００１−１から受信するセルスペシフィックリファレンスシグナルに基づいて、異なる周波数バンド（ここの例では、周波数バンドＡ以外の周波数バンド）の電力の測定（異バンドサーチ）を開始する条件（異バンド電力測定開始条件）が満たされたか否かを判定する（処理Ｔ２０２）。
この条件が満たされたことを判定すると、移動端末装置１０２１は、異バンドサーチを開始して、周波数バンドＡを使用してセルリセレクション元の基地局装置１００１−１から無線送信されるセルスペシフィックリファレンスシグナルを受信してその電力を測定することや、周波数バンドＢを使用してセルリセレクション先の基地局装置１００１−２から無線送信されるセルスペシフィックリファレンスシグナルを受信してその電力を測定することを行う（処理Ｔ２０３、処理Ｔ２０４）。
【００１２】
そして、移動端末装置１０２１は、インターバンドセルリセレクションを実施する条件（Ｃｅｌｌ  Ｒｅｓｅｌｅｃｔｉｏｎ  実施条件）を満たすか否かを判定する（処理Ｔ２０５）。
この条件が満たされたことを判定すると、移動端末装置１０２１は、インターバンドセルリセレクションを実行するための信号をセルリセレクション先の基地局装置１００１−２へ送信する（処理Ｔ２０６）。これにより、移動端末装置１０２１の待ち受け局が、セルリセレクション先の基地局装置１００１−２へ切り替えられる。
【００１３】
ここで、非特許文献２を採用する場合、それぞれの判定条件は、次のようになる（非特許文献２の５．２．４  Ｃｅｌｌ  Ｒｅｓｅｌｅｃｔｉｏｎ  ｅｖａｌｕａｔｉｏｎ  ｐｒｏｃｅｓｓを参照。）。
インターバンドセルリセレクションの処理の手続きにおいて、異バンドサーチを開始することを判定する条件としては、例えば、次の２つの条件（１−１）〜（１−２）がある。
（１−１）移動端末装置１０２１の待ち受け局となっている基地局装置１００１−１（接続基地局装置）の周波数バンドＡよりも、異なる周波数バンド（この例では、周波数バンドＢ）の接続優先度が高い場合には、移動端末装置１０２１は、高い接続優先度が設定された異なる周波数バンドを常にサーチする。
（１−２）移動端末装置１０２１の待ち受け局となっている基地局装置１００１−１（接続基地局装置）の周波数バンドＡよりも、異なる周波数バンド（この例では、周波数バンドＢ）の接続優先度が低い場合又はこれらの接続優先度が等しい場合には、移動端末装置１０２１は、接続基地局装置の受信電力（ＲＳＲＰ）が閾値を下回る、若しくは、接続基地局装置の受信品質（ＲＳＲＱ）が閾値を下回ると、異なる周波数バンドのサーチを開始する。
【００１４】
ここで、接続優先度は、例えば、周波数バンド毎に設定され、以下の説明では、大きい値の方が優先度が高いとする。そして、通信システムでは、複数の周波数バンドのうちで接続優先度が比較的大きい周波数バンドのセル（通信領域）に移動端末装置１０２１を存在（滞在）させることを優先するように（但し、結果として、そうならなくてもよい）制御する。また、接続優先度は、例えば、移動端末装置１０２１の状態（例えば、移動端末装置１０２１が接続されている周波数バンド）に応じて異なる値を設定することも可能である。
また、接続優先度は、例えば、基地局装置１００１−１〜１００１−２又はその上位の装置により設定される。
【００１５】
インターバンドセルリセレクションの処理の手続きにおいて、インターバンドセルリセレクションの処理を実施することを判定する条件としては、例えば、次の３つの条件（２−１）〜（２−３）がある。
（２−１）上記した条件（１−１）が満たされたことに応じて移動端末装置１０２１が異バンドサーチを実施している場合には、移動端末装置１０２１は、接続基地局装置におけるＲＲＣ  ｉｄｌｅ状態（待ち受け（待機中）の状態）が所定の時間（例えば、１秒）より長く、且つ、一定期間の間、異なる周波数バンドを使用する基地局装置からの受信電力（ＲＳＲＰ）が閾値を上回るときに、インターバンドセルリセレクションの処理を実施する。ここで、設定に応じて、受信電力（ＲＳＲＰ）の代わりに、受信品質（ＲＳＲＱ）を用いることもできる。
【００１６】
（２−２）上記した条件（１−２）が満たされたことに応じて移動端末装置１０２１が異バンドサーチを実施しており、且つ、接続基地局装置の周波数バンドＡよりも異なる周波数バンドの接続優先度が低い場合には、移動端末装置１０２１は、接続基地局装置におけるＲＲＣ  ｉｄｌｅ状態（待ち受け（待機中）の状態）が所定の時間（例えば、１秒）より長く、且つ、一定期間の間、接続基地局装置からの受信電力（ＲＳＲＰ）が閾値（第３の閾値）を下回り、且つ、異なる周波数バンドを使用する基地局装置からの受信電力（ＲＳＲＰ）が閾値（第４の閾値）を上回るときに、インターバンドセルリセレクションの処理を実施する。ここで、設定に応じて、受信電力（ＲＳＲＰ）の代わりに、受信品質（ＲＳＲＱ）を用いることもできる。
【００１７】
（２−３）上記した条件（１−２）が満たされたことに応じて移動端末装置１０２１が異バンドサーチを実施しており、且つ、接続基地局装置の周波数バンドＡと異なる周波数バンドとで接続優先度が等しい場合には、移動端末装置１０２１は、接続基地局装置におけるＲＲＣ  ｉｄｌｅ状態（待ち受け（待機中）の状態）が所定の時間（例えば、１秒）より長く、且つ、一定期間の間、異なる周波数バンドを使用する基地局装置からの受信電力（ＲＳＲＰ）が、接続基地局装置からの受信電力（ＲＳＲＰ）に比べて、閾値以上上回るときに、インターバンドセルリセレクションの処理を実施する。ここで、設定に応じて、受信電力（ＲＳＲＰ）の代わりに、受信品質（ＲＳＲＱ）を用いることもできる。
【００１８】
なお、インターバンドハンドオーバにおいても、インターバンドセルリセレクションにおいても、接続基地局装置の周波数バンドとは異なる周波数バンドの周波数（異バンド周波数）の電力測定の処理は、移動端末装置１０２１において消費電力が大きくなるため、異バンド周波数の電力測定（異バンドサーチ）を開始する条件は、例えば、カバレッジに問題のない限り、厳しく（つまり、異バンドサーチが頻繁に発生し過ぎないように）設定されていることが一般的である。
【先行技術文献】
【非特許文献】
【００１９】
【非特許文献１】３ＧＰＰ  ＴＳ３６．３３１  ｖ１１．１．０、  “Ｅ−ＵＴＲＡ  ＲＲＣ  Ｐｒｏｔｏｃｏｌ  ｓｐｅｃｉｆｉｃａｔｉｏｎ”、  ２０１２−０９．
【非特許文献２】３ＧＰＰ  ＴＳ３６．３０４  ｖ１１．１．０、  “Ｅ−ＵＴＲＡ  ＵＥ  ｐｒｏｃｅｄｕｒｅｓ  ｉｎ  ｉｄｌｅ  ｍｏｄｅ”、  ２０１２−０９．
【発明の概要】
【発明が解決しようとする課題】
【００２０】
複数の周波数バンドでサービスエリアを展開する場合、各周波数バンドを使用する基地局装置の数、対応する端末装置の数、周波数に応じた伝搬ロスの違いによるエリアの広さ、などの違いにより、周波数バンド間で基地局装置にかかる負荷に差分が発生し、例えば、ある周波数バンドの負荷が極端に増加する可能性がある。このため、移動端末装置１０２１に設定するインターバンドセルリセレクション関連のパラメータを変更し、周波数バンド間の接続優先度を変更する、異バンド周波数の電力測定（異バンドサーチ）を開始するタイミングを変更する、若しくは、電力測定開始後におけるインターバンドセルリセレクションを実施するタイミングを変更することで、異なる周波数バンド間での負荷分散を実現する。
【００２１】
しかしながら、図６に示されるように、周波数バンドＡと周波数バンドＢとの間で頻繁なバンド間遷移が発生することがある。
図６は、周波数バンドＡ（Ｂａｎｄ  Ａ）と周波数バンドＢ（Ｂａｎｄ  Ｂ）との間で発生する頻繁なバンド間遷移の一例を示す図である。
図６には、周波数バンドＡを使用する基地局装置１００１−１及びそのセル（通信領域）１０１１−１と、周波数バンドＢを使用する基地局装置１００１−２及びそのセル（通信領域）１０１１−２と、移動端末装置１０２１−１ａを示してある。
図６に示される移動端末装置１０２１−１ｂは、移動端末装置１０２１−１ａが移動したものを示したものであり、同じものである。図６の例では、移動端末装置１０２１−１ａは周波数バンドＡのセル１０１１−１に存在する位置にあり、移動端末装置１０２１−１ｂは周波数バンドＢのセル１０１１−２に存在する位置にある。
【００２２】
図６に示される処理（１）〜（４）を説明する。
（１）周波数バンドＢのセル１０１１−２に存在する移動端末装置１０２１−１ｂにおいて、ＲＲＣ  ｉｄｌｅ時に、周波数バンドＡの電力測定開始条件及び周波数バンドＡを使用する基地局装置１００１−１へのインターバンドセルリセレクションの実施条件が満たされたとする。
（２）この場合、移動端末装置１０２１−１ｂは、周波数バンドＡを使用する基地局装置１００１−１へのインターバンドセルリセレクションの処理を実行する。
（３）ＲＲＣ  ｃｏｎｎｅｃｔｅｄの状態へ遷移した後であって、周波数バンドＡのセル１０１１−１に存在する移動端末装置１０２１−１ａにおいて、周波数バンドＢの電力測定開始条件及び周波数バンドＢを使用する基地局装置１００１−２へのインターバンドハンドオーバの実施条件が満たされたとする。
（４）この場合、移動端末装置１０２１−１ａは、周波数バンドＢを使用する基地局装置１００１−２へのインターバンドハンドオーバの処理を実行する。
【００２３】
ここで、前記（１）に関して設定する周波数バンドＢから周波数バンドＡへのインターバンドセルリセレクションの実施条件と、前記（３）に関して設定する周波数バンドＡから周波数バンドＢへのインターバンドハンドオーバの実施条件が、不適切に設定された場合には、前記（２）において周波数バンドＡを使用する基地局装置１００１−１へのインターバンドセルリセレクションを実行した移動端末装置１０２１−１ａが、ＲＲＣ  ｃｏｎｎｅｃｔｅｄの状態に遷移した後に、すぐに元の周波数バンドＢへのインターバンドハンドオーバの実施条件を満たし、前記（４）のように、インターバンドハンドオーバにより元の周波数バンドＢを使用する基地局装置１００１−２へ戻ってしまう。
このような場合には、期待通りのバンド間の負荷分散効果が得られないばかりか、インターバンドハンドオーバの処理を実行する基地局装置１００１−１〜１００１−２と移動端末装置１０２１−１ａに余計な負荷を発生させてしまう、という問題があった。
【００２４】
本発明は、このような事情を考慮してなされたもので、端末装置が周波数バンド間で頻繁にバンド間遷移をすることを抑制することができる設定装置、基地局装置、通信システム、設定方法及び端末装置を提供することを課題とする。
【課題を解決するための手段】
【００２５】
（１）上記の課題を解決するために、本発明に係る設定装置は、端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する設定部、を備えることを特徴とする。
【００２６】
（２）本発明は、上記した（１）に記載の設定装置において、前記第１の周波数バンドから前記第２の周波数バンドへのバンド間遷移として、インターバンドセルリセレクションを用い、前記第２の周波数バンドから前記第１の周波数バンドへのバンド間遷移又はその前処理として、前記バンド間遷移であるインターバンドハンドオーバ或いはインターバンドセルリセレクション、又は、前記インターバンドハンドオーバ或いはインターバンドセルリセレクションの前記前処理である異バンドサーチを用いる、ことを特徴とする。
【００２７】
（３）上記の課題を解決するために、本発明に係る基地局装置は、端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する設定部と、バンド間遷移の処理を実行するバンド間遷移処理実行部と、を備えることを特徴とする。
【００２８】
（４）上記の課題を解決するために、本発明に係る通信システムは、端末装置と、基地局装置と、前記基地局装置と一体又は別体の設定装置を有し、前記設定装置は、前記端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する、ことを特徴とする。
【００２９】
（５）上記の課題を解決するために、本発明に係る設定方法は、設定装置が、端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する、ことを特徴とする。
【００３０】
（６）上記の課題を解決するために、本発明に係る端末装置は、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を記憶する記憶部と、前記記憶部に記憶される値に基づいて、バンド間遷移の処理又はその前処理を実行する処理実行部と、を備えることを特徴とする。
【発明の効果】
【００３１】
本発明によれば、端末装置が周波数バンド間で頻繁にバンド間遷移をすることを抑制することができる。
【図面の簡単な説明】
【００３２】
【図１】本発明の一実施形態に係る通信システムの概略的な構成を示すブロック図である。
【図２】本発明の一実施形態に係る移動端末装置の概略的な構成を示すブロック図である。
【図３】本発明の一実施形態に係る基地局装置の概略的な構成を示すブロック図である。
【図４】インターバンドハンドオーバの処理の手続きの一例を示すタイミングチャート図である。
【図５】インターバンドセルリセレクションの処理の手続きの一例を示すタイミングチャート図である。
【図６】周波数バンドＡと周波数バンドＢとの間で発生する頻繁なバンド間遷移の一例を示す図である。
【発明を実施するための形態】
【００３３】
以下、図面を参照し、本発明の実施形態について説明する。
＜本実施形態に係る通信システムの構成＞
図１は、本発明の一実施形態に係る通信システムの概略的な構成を示すブロック図である。
本実施形態に係る通信システムは、複数（図１の例では、２個示す。）の基地局装置１−１〜１−２と、複数（図１の例では、１個のみ示す。）の移動端末装置（端末装置の一例）２１−１を備える。また、図１には、各基地局装置１−１〜１−２のセル（通信領域）１１−１〜１１−２を示してある。
本実施形態に係る通信システムでは、複数（図１の例では、２個示す。）の周波数バンドＡ、Ｂをそれぞれ独立に使用することが可能である。
【００３４】
本実施形態では、基地局装置１−１は周波数バンドＡを使用して移動端末装置２１−１との間で無線通信し、また、基地局装置１−２は周波数バンドＢ（周波数バンドＡとは異なるもの）を使用して移動端末装置２１−１との間で無線通信する。
また、本実施形態では、各基地局装置１−１〜１−２は、互いに直接又は間接に通信することが可能となるように、回線（例えば、バックボーン回線であるＸ２回線やＳ１回線など）を介して、接続されている。この通信としては、例えば、有線の通信が用いられてもよく、又は、無線の通信が用いられてもよい。
なお、通信システムにおいて、基地局装置の数や、移動端末装置の数としては、それぞれ、様々な数が用いられてもよい。
【００３５】
＜本実施形態に係る移動端末装置の構成＞
図２は、本発明の一実施形態に係る移動端末装置の概略的な構成を示すブロック図である。本実施形態では、各移動端末装置は同様な構成を有し同様な動作を行うため、図２では、これらをまとめて移動端末装置２１として説明する。
本実施形態に係る移動端末装置２１は、アンテナ１０１と、無線通信部１０２と、入力部１０３と、出力部１０４と、記憶部１０５と、制御部１０６を備える。
制御部１０６は、処理実行部２０１を備える。
【００３６】
アンテナ１０１は、無線の信号を通信（送信及び受信）する。
無線通信部１０２は、送信対象の信号を処理してアンテナ１０１から無線により送信し、アンテナ１０１により受信された無線の信号を処理する。無線通信部１０２は、例えば、複数の周波数バンド（本実施形態では、少なくとも、周波数バンドＡと周波数バンドＢ）を切り替えて、それぞれの周波数バンドを使用する基地局装置１−１〜１−２との間で無線により通信する。
【００３７】
入力部１０３は、外部からの入力を行う。入力部１０３は、例えば、ユーザ（人）により行われる操作を受け付ける操作部を有する。操作部は、例えば、タッチパネル或いはキーなどから構成される。また、入力部１０３は、例えば、外部から音（例えば、音声）を入力する音声入力部を有する。また、入力部１０３は、例えば、外部のメモリ或いは装置などからデータを入力するデータ入力部を有する。
出力部１０４は、外部への出力を行う。出力部１０４は、例えば、情報を画面に表示する表示部を有する。表示部は、例えば、液晶画面などから構成される。また、出力部１０４は、例えば、外部へ音（例えば、音声）を出力する音声出力部を有する。また、出力部１０４は、例えば、外部のメモリ或いは装置などへデータを出力するデータ出力部を有する。
記憶部１０５は、各種の情報を記憶する。記憶部１０５は、例えば、メモリから構成される。記憶部１０５は、例えば、制御部１０６などのプロセッサにより処理されるプログラムを記憶する。
制御部１０６は、各種の処理や制御を行う。
【００３８】
ここで、本実施形態では、記憶部１０５は、第１の周波数バンド（本実施形態では、一例として、周波数バンドＢ）から第２の周波数バンド（本実施形態では、一例として、周波数バンドＡ）へのバンド間遷移の条件に含まれる前記第２の周波数バンドにおける電力の高さ（本実施形態では、ＲＳＲＰ）又は品質の良さ（本実施形態では、ＲＳＲＱ）を表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を記憶する。
処理実行部２０１は、記憶部１０５に記憶される値に基づいて、バンド間遷移の処理又はその前処理を実行する。
【００３９】
＜本実施形態に係る基地局装置の構成＞
図３は、本発明の一実施形態に係る基地局装置の概略的な構成を示すブロック図である。本実施形態では、各基地局装置は同様な構成を有し同様な動作を行うため、図３では、これらをまとめて基地局装置１として説明する。
本実施形態に係る基地局装置１は、アンテナ１２１と、無線通信部１２２と、通信部１２３と、記憶部１２４と、制御部１２５を備える。
制御部１２５は、設定部３０１と、バンド間遷移処理実行部３０２を備える。
【００４０】
アンテナ１２１は、無線の信号を通信（送信及び受信）する。
無線通信部１２２は、送信対象の信号を処理してアンテナ１２１から無線により送信し、アンテナ１２１により受信された無線の信号を処理する。無線通信部１２２は、例えば、自己の基地局装置１に設定された周波数バンド（本実施形態では、周波数バンドＡや周波数バンドＢ）を使用して、移動端末装置２１−１との間で無線により通信する。
通信部１２３は、他の基地局装置との間で情報を通信（送信及び受信）する。この通信は、例えば、有線の回線を介して行われてもよく、又は、無線の回線を介して行われてもよい。
記憶部１２４は、各種の情報を記憶する。記憶部１２４は、例えば、メモリから構成される。記憶部１２４は、例えば、制御部１２５などのプロセッサにより処理されるプログラムを記憶する。また、記憶部１２４は、例えば、無線通信が可能であるように接続している移動端末装置２１−１に関する情報（例えば、管理するための情報）を記憶する。
制御部１２５は、各種の処理や制御を行う。
【００４１】
設定部３０１は、移動端末装置２１−１について、第１の周波数バンド（本実施形態では、一例として、周波数バンドＢ）から第２の周波数バンド（本実施形態では、一例として、周波数バンドＡ）へのバンド間遷移の条件に含まれる前記第２の周波数バンドにおける電力の高さ（本実施形態では、ＲＳＲＰ）又は品質の良さ（本実施形態では、ＲＳＲＱ）を表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する。
バンド間遷移処理実行部３０２は、バンド間遷移の処理を実行する。
【００４２】
＜本実施形態に係る通信システムにおいて行われる処理＞
本実施形態に係る通信システムでは、概略的には、例えば、インターバンドセルリセレクションの実施条件に係る遷移先となる周波数バンドを使用する基地局装置の所要電力又は所要品質の閾値を、遷移先となる周波数バンドにおける、遷移元である周波数バンドへのインターバンドハンドオーバや、遷移元である周波数バンドの電力測定（異バンドサーチ）や、遷移元である周波数バンドへのインターバンドセルリセレクションを開始するための電力又は品質の閾値を下回らない範囲で設定することで、移動端末装置２１−１のバンド間遷移が頻繁に発生することを抑制する。
【００４３】
具体例として、本実施形態に係る通信システムでは、次のような（処理例１）〜（処理例３）に係る処理を行う。
本実施形態では、背景技術に係る図４及び非特許文献１に関して説明したＭＲ（Ａ２、Ａ３、Ａ５）の判定条件と同じ条件を用いており、また、背景技術に係る図５及び非特許文献２に関して説明した異バンドサーチ開始の判定条件（１−１）〜（１−２）及びインターバンドセルリセレクション実施の判定条件（２−１）〜（２−３）と同じ条件を用いている。
なお、（処理例１）〜（処理例３）において、基地局装置１−１（周波数バンドＡ）と基地局装置１−２（周波数バンドＢ）とを逆にした場合についても同様である。
【００４４】
＜（処理例１）について＞
移動端末装置２１−１に関し、周波数バンドＢを使用する基地局装置１−２から周波数バンドＡを使用する基地局装置１−１へのバンド間遷移（周波数バンドＢから周波数バンドＡへのバンド間遷移）を促進するときであって、且つ、周波数バンドＢにおいてＲＲＣ  ｉｄｌｅ状態時（待機中である状態の時）であるときにおける周波数バンドＡに対する接続優先度が周波数バンドＢの接続優先度よりも高い場合には、次のような（処理例１−１）〜（処理例１−４）に係る処理を行う。
なお、この場合には、周波数バンドＢよりも周波数バンドＡの方が接続優先度が高く、異バンドサーチ開始の判定条件（１−１）が満たされるため、移動端末装置２１−１は、周波数バンドＡを常にサーチする。
【００４５】
（処理例１−１）
移動端末装置２１−１に関し、周波数バンドＡにおいて周波数バンドＢの電力測定を開始するための判定条件をＡ２  ＭＲに設定し、且つ、周波数バンドＢにおける周波数バンドＡへのインターバンドセルリセレクションの実施の判定条件（２−１）における周波数バンドＡの受信電力（ＲＳＲＰ）に対する閾値を、周波数バンドＡにおいて移動端末装置２１−１がＲＲＣ  ｃｏｎｎｅｃｔｅｄの状態時（通信中である状態の時）に周波数バンドＢの電力測定を開始する（周波数バンドＢへのインターバンドハンドオーバを実施する）ためのＡ２  ＭＲの判定条件における周波数バンドＡの受信電力（ＲＳＲＰ）に対する閾値を下回らない範囲で設定する。なお、例えば、初期設定、又は、オペレータ（人）による選択などにより、受信電力（ＲＳＲＰ）の代わりに、受信品質（ＲＳＲＱ）を用いることもできる。
このような設定により、移動端末装置２１−１について、周波数バンドＢから周波数バンドＡへインターバンドセルリセレクションにより遷移した後にインターバンドハンドオーバ（この例では、Ａ２  ＭＲを用いるインターバンドハンドオーバ）により周波数バンドＡから周波数バンドＢへすぐに戻ってしまうことを防止することができる。
【００４６】
（処理例１−２）
移動端末装置２１−１に関し、周波数バンドＡにおいてインターバンドハンドオーバの実施の判定条件をＡ５  ＭＲに設定し、且つ、周波数バンドＢにおける周波数バンドＡへのインターバンドセルリセレクションの実施の判定条件（２−１）における周波数バンドＡの受信電力（ＲＳＲＰ）に対する閾値を、周波数バンドＡにおいて移動端末装置２１−１がＲＲＣ  ｃｏｎｎｅｃｔｅｄの状態時（通信中である状態の時）に周波数バンドＢへのインターバンドハンドオーバを実施するためのＡ５  ＭＲの判定条件における周波数バンドＡの受信電力（ＲＳＲＰ）に対する閾値（Ａ５  ＭＲの判定条件における第１の閾値）を下回らない範囲で設定する。なお、例えば、初期設定、又は、オペレータ（人）による選択などにより、受信電力（ＲＳＲＰ）の代わりに、受信品質（ＲＳＲＱ）を用いることもできる。また、Ａ５  ＭＲの代わりにＡ２  ＭＲを用いてもよい。
このような設定により、移動端末装置２１−１について、周波数バンドＢから周波数バンドＡへインターバンドセルリセレクションにより遷移した後にインターバンドハンドオーバ（この例では、Ａ５  ＭＲを用いるインターバンドハンドオーバ）により周波数バンドＡから周波数バンドＢへすぐに戻ってしまうことを防止することができる。
【００４７】
（処理例１−３）
移動端末装置２１−１に関し、周波数バンドＡにおいてＲＲＣ  ｉｄｌｅ状態時（待機中である状態の時）であるときにおける周波数バンドＢに対する接続優先度を周波数バンドＡの接続優先度以下に設定し、且つ、周波数バンドＢにおける周波数バンドＡへのインターバンドセルリセレクションの実施の判定条件（２−１）における周波数バンドＡの受信電力（ＲＳＲＰ）に対する閾値を、周波数バンドＡにおいて移動端末装置２１−１がＲＲＣ  ｉｄｌｅ状態時（待機中である状態の時）であるときに周波数バンドＢの電力測定を開始する（異バンドサーチを開始する）ための判定条件（１−２）における周波数バンドＡの受信電力（ＲＳＲＰ）に対する閾値を下回らない範囲で設定する。なお、例えば、初期設定、又は、オペレータ（人）による選択などにより、受信電力（ＲＳＲＰ）の代わりに、受信品質（ＲＳＲＱ）を用いることもできる。
このような設定により、移動端末装置２１−１について、周波数バンドＢから周波数バンドＡへインターバンドセルリセレクションにより遷移した後に異バンドサーチ及びインターバンドセルリセレクション（この例では、周波数バンドＡから周波数バンドＢへのインターバンドセルリセレクション）により周波数バンドＡから周波数バンドＢへすぐに戻ってしまうことを防止することができる。
【００４８】
（処理例１−４）
移動端末装置２１−１に関し、周波数バンドＡにおいてＲＲＣ  ｉｄｌｅ状態時（待機中である状態の時）であるときにおける周波数バンドＢに対する接続優先度を周波数バンドＡの接続優先度より低く設定し、且つ、周波数バンドＢにおける周波数バンドＡへのインターバンドセルリセレクションの実施の判定条件（２−１）における周波数バンドＡの受信電力（ＲＳＲＰ）に対する閾値を、周波数バンドＡにおける移動端末装置２１−１の周波数バンドＢへのインターバンドセルリセレクションの実施の判定条件（２−２）における周波数バンドＡの受信電力（ＲＳＲＰ）に対する閾値（判定条件（２−２）における第３の閾値）を下回らない範囲で設定する。なお、例えば、初期設定、又は、オペレータ（人）による選択などにより、受信電力（ＲＳＲＰ）の代わりに、受信品質（ＲＳＲＱ）を用いることもできる。
このような設定により、移動端末装置２１−１について、周波数バンドＢから周波数バンドＡへインターバンドセルリセレクションにより遷移した後にインターバンドセルリセレクション（この例では、周波数バンドＡから周波数バンドＢへのインターバンドセルリセレクション）により周波数バンドＡから周波数バンドＢへすぐに戻ってしまうことを防止することができる。
【００４９】
＜（処理例２）について＞
移動端末装置２１−１に関し、周波数バンドＢを使用する基地局装置１−２から周波数バンドＡを使用する基地局装置１−１へのバンド間遷移（周波数バンドＢから周波数バンドＡへのバンド間遷移）を促進するときであって、且つ、周波数バンドＢにおいてＲＲＣ  ｉｄｌｅ状態時（待機中である状態の時）であるときにおける周波数バンドＡに対する接続優先度が周波数バンドＢの接続優先度よりも低い場合には、次のような（処理例２−１）〜（処理例２−４）に係る処理を行う。
なお、この場合には、周波数バンドＢよりも周波数バンドＡの方が接続優先度が低く、異バンドサーチ開始の判定条件（１−２）が使用される。
【００５０】
（処理例２−１）
移動端末装置２１−１に関し、周波数バンドＡにおいて周波数バンドＢの電力測定を開始するための判定条件をＡ２  ＭＲに設定し、且つ、周波数バンドＢにおける周波数バンドＡへのインターバンドセルリセレクションの実施の判定条件（２−２）における周波数バンドＡの受信電力（ＲＳＲＰ）に対する閾値（判定条件（２−２）における第４の閾値）を、周波数バンドＡにおいて移動端末装置２１−１がＲＲＣ  ｃｏｎｎｅｃｔｅｄの状態時（通信中である状態の時）に周波数バンドＢの電力測定を開始する（周波数バンドＢへのインターバンドハンドオーバを実施する）ためのＡ２  ＭＲの判定条件における周波数バンドＡの受信電力（ＲＳＲＰ）に対する閾値を下回らない範囲で設定する。なお、例えば、初期設定、又は、オペレータ（人）による選択などにより、受信電力（ＲＳＲＰ）の代わりに、受信品質（ＲＳＲＱ）を用いることもできる。
このような設定により、移動端末装置２１−１について、周波数バンドＢから周波数バンドＡへインターバンドセルリセレクションにより遷移した後にインターバンドハンドオーバ（この例では、Ａ２  ＭＲを用いるインターバンドハンドオーバ）により周波数バンドＡから周波数バンドＢへすぐに戻ってしまうことを防止することができる。
【００５１】
（処理例２−２）
移動端末装置２１−１に関し、周波数バンドＡにおいてインターバンドハンドオーバの実施の判定条件をＡ５  ＭＲに設定し、且つ、周波数バンドＢにおける周波数バンドＡへのインターバンドセルリセレクションの実施の判定条件（２−２）における周波数バンドＡの受信電力（ＲＳＲＰ）に対する閾値（判定条件（２−２）における第４の閾値）を、周波数バンドＡにおいて移動端末装置２１−１がＲＲＣ  ｃｏｎｎｅｃｔｅｄの状態時（通信中である状態の時）に周波数バンドＢへのインターバンドハンドオーバを実施するためのＡ５  ＭＲの判定条件における周波数バンドＡの受信電力（ＲＳＲＰ）に対する閾値（Ａ５  ＭＲの判定条件における第１の閾値）を下回らない範囲で設定する。なお、例えば、初期設定、又は、オペレータ（人）による選択などにより、受信電力（ＲＳＲＰ）の代わりに、受信品質（ＲＳＲＱ）を用いることもできる。また、Ａ５  ＭＲの代わりにＡ２  ＭＲを用いてもよい。
このような設定により、移動端末装置２１−１について、周波数バンドＢから周波数バンドＡへインターバンドセルリセレクションにより遷移した後にインターバンドハンドオーバ（この例では、Ａ５  ＭＲを用いるインターバンドハンドオーバ）により周波数バンドＡから周波数バンドＢへすぐに戻ってしまうことを防止することができる。
【００５２】
（処理例２−３）
移動端末装置２１−１に関し、周波数バンドＡにおいてＲＲＣ  ｉｄｌｅ状態時（待機中である状態の時）であるときにおける周波数バンドＢに対する接続優先度を周波数バンドＡの接続優先度以下に設定し、且つ、周波数バンドＢにおける周波数バンドＡへのインターバンドセルリセレクションの実施の判定条件（２−２）における周波数バンドＡの受信電力（ＲＳＲＰ）に対する閾値（判定条件（２−２）における第４の閾値）を、周波数バンドＡにおいて移動端末装置２１−１がＲＲＣ  ｉｄｌｅ状態時（待機中である状態の時）であるときに周波数バンドＢの電力測定を開始する（異バンドサーチを開始する）ための判定条件（１−２）における周波数バンドＡの受信電力（ＲＳＲＰ）に対する閾値を下回らない範囲で設定する。なお、例えば、初期設定、又は、オペレータ（人）による選択などにより、受信電力（ＲＳＲＰ）の代わりに、受信品質（ＲＳＲＱ）を用いることもできる。
このような設定により、移動端末装置２１−１について、周波数バンドＢから周波数バンドＡへインターバンドセルリセレクションにより遷移した後に異バンドサーチ及びインターバンドセルリセレクション（この例では、周波数バンドＡから周波数バンドＢへのインターバンドセルリセレクション）により周波数バンドＡから周波数バンドＢへすぐに戻ってしまうことを防止することができる。
【００５３】
（処理例２−４）
移動端末装置２１−１に関し、周波数バンドＡにおいてＲＲＣ  ｉｄｌｅ状態時（待機中である状態の時）であるときにおける周波数バンドＢに対する接続優先度を周波数バンドＡの接続優先度より低く設定し、且つ、周波数バンドＢにおける周波数バンドＡへのインターバンドセルリセレクションの実施の判定条件（２−２）における周波数バンドＡの受信電力（ＲＳＲＰ）に対する閾値（判定条件（２−２）における第４の閾値）を、周波数バンドＡにおける移動端末装置２１−１の周波数バンドＢへのインターバンドセルリセレクションの実施の判定条件（２−２）における周波数バンドＡの受信電力（ＲＳＲＰ）に対する閾値（判定条件（２−２）における第３の閾値）を下回らない範囲で設定する。なお、例えば、初期設定、又は、オペレータ（人）による選択などにより、受信電力（ＲＳＲＰ）の代わりに、受信品質（ＲＳＲＱ）を用いることもできる。
このような設定により、移動端末装置２１−１について、周波数バンドＢから周波数バンドＡへインターバンドセルリセレクションにより遷移した後にインターバンドセルリセレクション（この例では、周波数バンドＡから周波数バンドＢへのインターバンドセルリセレクション）により周波数バンドＡから周波数バンドＢへすぐに戻ってしまうことを防止することができる。
【００５４】
＜（処理例３）について＞
移動端末装置２１−１に関し、周波数バンドＢを使用する基地局装置１−２から周波数バンドＡを使用する基地局装置１−１へのバンド間遷移（周波数バンドＢから周波数バンドＡへのバンド間遷移）を促進するときであって、且つ、周波数バンドＢにおいてＲＲＣ  ｉｄｌｅ状態時（待機中である状態の時）であるときにおける周波数バンドＡに対する接続優先度が周波数バンドＢの接続優先度と等しい場合には、次のような（処理例３−１）〜（処理例３−２）に係る処理を行う。
なお、この場合には、周波数バンドＢと周波数バンドＡとで接続優先度が等しく、異バンドサーチ開始の判定条件（１−２）が使用される。
【００５５】
（処理例３−１）
移動端末装置２１−１に関し、周波数バンドＡにおいてインターバンドハンドオーバの実施の判定条件をＡ３  ＭＲに設定し、且つ、周波数バンドＢにおける周波数バンドＡへのインターバンドセルリセレクションの実施の判定条件（２−３）における周波数バンドＡと周波数バンドＢの受信電力（ＲＳＲＰ）の差（この例では、周波数バンドＡの受信電力−周波数バンドＢの受信電力）に対する閾値を、周波数バンドＡにおいて移動端末装置２１−１がＲＲＣ  ｃｏｎｎｅｃｔｅｄの状態時（通信中である状態の時）に周波数バンドＢへのインターバンドハンドオーバを実施するためのＡ３  ＭＲの判定条件における周波数バンドＡと周波数バンドＢの受信電力（ＲＳＲＰ）の差（この例では、周波数バンドＢの受信電力−周波数バンドＡの受信電力）に対する閾値を下回らない範囲で設定する。なお、例えば、初期設定、又は、オペレータ（人）による選択などにより、受信電力（ＲＳＲＰ）の代わりに、受信品質（ＲＳＲＱ）を用いることもできる。
このような設定により、移動端末装置２１−１について、周波数バンドＢから周波数バンドＡへインターバンドセルリセレクションにより遷移した後にインターバンドハンドオーバ（この例では、Ａ３  ＭＲを用いるインターバンドハンドオーバ）により周波数バンドＡから周波数バンドＢへすぐに戻ってしまうことを防止することができる。
【００５６】
（処理例３−２）
移動端末装置２１−１に関し、周波数バンドＡにおいてＲＲＣ  ｉｄｌｅ状態時（待機中である状態の時）であるときにおける周波数バンドＢに対する接続優先度を周波数バンドＡの接続優先度と等しく設定し、且つ、周波数バンドＢにおける周波数バンドＡへのインターバンドセルリセレクションの実施の判定条件（２−３）における周波数バンドＡと周波数バンドＢの受信電力（ＲＳＲＰ）の差（この例では、周波数バンドＡの受信電力−周波数バンドＢの受信電力）に対する閾値を、周波数バンドＡにおける移動端末装置２１−１の周波数バンドＢへのインターバンドセルリセレクションの実施の判定条件（２−３）における周波数バンドＡと周波数バンドＢの受信電力（ＲＳＲＰ）の差（この例では、周波数バンドＢの受信電力−周波数バンドＡの受信電力）に対する閾値を下回らない範囲で設定する。なお、例えば、初期設定、又は、オペレータ（人）による選択などにより、受信電力（ＲＳＲＰ）の代わりに、受信品質（ＲＳＲＱ）を用いることもできる。
このような設定により、移動端末装置２１−１について、周波数バンドＢから周波数バンドＡへインターバンドセルリセレクションにより遷移した後にインターバンドセルリセレクション（この例では、周波数バンドＡから周波数バンドＢへのインターバンドセルリセレクション）により周波数バンドＡから周波数バンドＢへすぐに戻ってしまうことを防止することができる。
【００５７】
＜本実施形態の構成及び効果のまとめ＞
以上のように、本実施形態に係る通信システムでは、複数の周波数バンド（本実施形態では、周波数バンドＡ、Ｂ）を使用することが可能な構成において、移動端末装置２１−１の接続を周波数バンド間で分散させる場合に、バンド間遷移の実施条件（判定条件）である遷移先となる周波数バンド（当該周波数バンドを使用する基地局装置１−１〜１−２）の電力又は品質に関する所要の閾値を、遷移先となる周波数バンド（当該周波数バンドを使用する基地局装置１−１〜１−２）から遷移元の周波数バンド（当該周波数バンドを使用する基地局装置１−１〜１−２）へのバンド間遷移（例えば、インターバンドハンドオーバやインターバンドセルリセレクション）やその前処理（例えば、インターバンドハンドオーバ或いはインターバンドセルリセレクションの前処理となる異バンドサーチ）が発生する電力又は品質に関する所要の閾値を下回らない範囲で設定することで、移動端末装置２１−１のバンド間遷移が頻繁に発生することを抑制する。
【００５８】
以上のように、本実施形態に係る通信システムによると、複数の周波数バンド間で負荷分散を実行する場合に、一の周波数バンド（例えば、周波数バンドＢ）から他の周波数バンド（例えば、周波数バンドＡ）へのバンド間遷移の発生条件を、前記他の周波数バンド（例えば、周波数バンドＡ）から前記一の周波数バンド（例えば、周波数バンドＢ）へのバンド間遷移が発生しない範囲で設定することで、移動端末装置２１−１がバンド間で頻繁にバンド間遷移することを抑制することができる。これにより、本実施形態に係る通信システムでは、一の周波数バンド（例えば、周波数バンドＢ）から他の周波数バンド（例えば、周波数バンドＡ）への負荷分散効果を高く維持することができると同時に、余計なバンド間遷移の発生に起因する基地局装置１−１〜１−２及び移動端末装置２１−１に対する負荷を抑制する（防ぐ）ことができる。このように、本実施形態に係る通信システムでは、異なる周波数バンドを使用する基地局装置１−１〜１−２の間における負荷分散において、移動端末装置２１−１が周波数バンド間で頻繁にバンド間遷移をすることを抑制することができる。
【００５９】
ここで、本実施形態に係る通信システムでは、基地局装置１−１〜１−２が、設定部３０１を備えて構成される設定装置（又は、分散装置などの任意の名称でもよい）を、一体として有する構成を示した。この場合、例えば、複数の基地局装置１−１〜１−２のそれぞれに備えられる設定部３０１の間で、設定の内容（例えば、閾値）に関する情報を通信（送信や受信）し、複数の周波数バンドＡ、Ｂについての設定の内容（例えば、閾値）を整合（共通化）する。また、例えば、基地局装置１−１〜１−２の設定部３０１は、設定の内容（例えば、閾値）を示す情報を移動端末装置２１−１に対して無線により送信し、移動端末装置２１−１は、当該情報を受信して、当該情報に従って、設定の内容（例えば、閾値）を記憶部１０５に設定して記憶する。
他の構成例として、通信システムにおいて、基地局装置１−１〜１−２とは別体で設定装置を設けることも可能である。この場合、例えば、設定装置は、複数の基地局装置１−１〜１−２の上位の装置として設けられる。また、設定装置の設定部３０１は、設定の内容（例えば、閾値）を示す情報を基地局装置１−１〜１−２を介して移動端末装置２１−１に対して送信し、移動端末装置２１−１は、当該情報を受信して、当該情報に従って、設定の内容（例えば、閾値）を記憶部１０５に設定して記憶する。なお、設定装置は、他の装置と一体であってもよく、又は、別体であってもよい。
【００６０】
［以上の実施形態に係る構成例］
一構成例として、端末装置（本実施形態では、移動端末装置２１−１）について、第１の周波数バンドから第２の周波数バンドへのバンド間遷移の条件に含まれる前記第２の周波数バンドにおける電力の高さ（本実施形態では、ＲＳＲＰ）又は品質の良さ（ＲＳＲＱ）を表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値（つまり、この閾値を下回らない範囲の値）を設定する設定部（本実施形態では、設定部３０１）、を備えることを特徴とする設定装置（本実施形態では、基地局装置１−１〜１−２が有する例としてある）である。
ここで、第１の周波数バンドと第２の周波数バンドとしては、それぞれ異なる様々な周波数帯が用いられてもよく、本実施形態では、周波数バンドＢと周波数バンドＡの組み合わせを用いており、また、周波数バンドＡと周波数バンドＢの組み合わせを用いる場合（両者が逆である場合）も同様である。
また、所定の周波数バンドにおける電力の高さ又は品質の良さを表す閾値以上の値としては、電力の高さに関しては、電力の高さが閾値と等しい或いは閾値より良いことを表しており、また、品質の良さに関しては、品質の良さが閾値と等しい或いは閾値より良いことを表している。
【００６１】
一構成例として、前記第１の周波数バンドから前記第２の周波数バンドへのバンド間遷移として、インターバンドセルリセレクションを用い、前記第２の周波数バンドから前記第１の周波数バンドへのバンド間遷移又はその前処理として、前記バンド間遷移であるインターバンドハンドオーバ或いはインターバンドセルリセレクション、又は、前記インターバンドハンドオーバ或いはインターバンドセルリセレクションの前記前処理である異バンドサーチを用いる、ことを特徴とする設定装置である。
ここで、この構成例は、具体例として、本実施形態で説明した（処理例１）〜（処理例３）に対応する。
【００６２】
一構成例として、端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する設定部（本実施形態では、設定部３０１）と、バンド間遷移の処理を実行するバンド間遷移処理実行部（本実施形態では、バンド間遷移処理実行部３０２）と、を備えることを特徴とする基地局装置（本実施形態では、基地局装置１−１〜１−２）である。
【００６３】
一構成例として、端末装置と、基地局装置と、前記基地局装置と一体又は別体の設定装置（本実施形態では、一体）を有し、前記設定装置は、前記端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する、ことを特徴とする通信システム（本実施形態では、図１に示されるような通信システム）である。
【００６４】
一構成例として、設定装置（本実施形態では、基地局装置１−１〜１−２が有する例としてある）が、端末装置について、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を設定する、ことを特徴とする設定方法（本実施形態では、図１に示されるような通信システムにおいて行われる設定方法）である。
【００６５】
一構成例として、第１の周波数バンドから第２の周波数バンドへのバンド間遷移の条件に含まれる前記第２の周波数バンドにおける電力の高さ又は品質の良さを表す閾値として、前記第２の周波数バンドから前記第１の周波数バンドへのバンド間遷移又はその前処理の条件に含まれる前記第２の周波数バンドにおける電力の高さ又は品質の良さを表す閾値以上の値を記憶する記憶部（本実施形態では、記憶部１０５）と、前記記憶部に記憶される値に基づいて、バンド間遷移の処理又はその前処理を実行する処理実行部（本実施形態では、処理実行部２０１）と、を備えることを特徴とする端末装置（本実施形態では、移動端末装置２１−１）である。
【００６６】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００６７】
また、以上に示した実施形態に係る各装置（例えば、移動端末装置、基地局装置、設定装置）の機能を実現するためのプログラムをコンピュータ読み取り可能な記録媒体に記録して、この記録媒体に記録されたプログラムをコンピュータシステムに読み込ませ、実行することにより、処理を行ってもよい。
【００６８】
なお、ここで言う「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【００６９】
更に、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。更に、前述した機能をコンピュータシステムに既に記録されているプログラムとの組み合わせで実現できるもの、いわゆる差分ファイル（差分プログラム）であっても良い。
【符号の説明】
【００７０】
１、１−１〜１−２、１００１−１〜１００１−２…基地局装置、１１−１〜１１−２、１０１１−１〜１０１１−２…セル（通信領域）、２１、２１−１、１０２１、１０２１−１ａ〜１０２１−１ｂ…移動端末装置、１０１、１２１…アンテナ、１０２、１２２…無線通信部、１０３…入力部、１０４…出力部、１０５、１２４…記憶部、１０６、１２５…制御部、１２３…通信部、２０１…処理実行部、３０１…設定部、３０２…バンド間遷移処理実行部
【図１】
2014165826.tif 000003
【図２】
2014165826.tif 000004
【図３】
2014165826.tif 000005
【図４】
2014165826.tif 000006
【図５】
2014165826.tif 000007
【図６】
2014165826.tif 000008